(57)【要約】【課題】Ｗｅｂページ管理装置を提供すること。【解決手段】通信ネットワークを介して端末と接続されたＷｅｂページ管理装置は、前記端末に前記Ｗｅｂページを構成する少なくとも一つのオブジェクトを表すオブジェクトデータを送信するオブジェクトデータ送信手段（フロントプログラム）と、送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信手段（フロントプログラム）と、前記編集データを受信したことに応じて、それぞれ独立して動作するオブジェクトデータ編集手段（サブプログラム１、２、・・・）により、前記編集データを記憶するオブジェクトデータ管理手段（ＤＢ）と、を備える。【選択図】図６
2009140349.tif 000002
【特許請求の範囲】
【請求項１】
通信ネットワークを介して端末と接続されたＷｅｂページ管理装置であって、
前記端末に前記Ｗｅｂページを構成する少なくとも一つのオブジェクトを表すオブジェクトデータを送信するオブジェクトデータ送信手段（フロントプログラム）と、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬ  ＨＴＴＰリクエスト）を受信する編集データ受信手段（フロントプログラム）と、
前記編集データを受信したことに応じて、それぞれ独立して動作するオブジェクトデータ編集手段（サブプログラム１、２、・・・）により、前記編集データを記憶するオブジェクトデータ管理手段（ＤＢ）と、を備えるＷｅｂページ管理装置。
【請求項２】
受信した前記編集データが、前記ユーザによるテキスト入力のないオブジェクトデータを含む場合に、前記オブジェクトデータ管理手段は、前記オブジェクトデータに空白文字を挿入して記憶する、請求項１に記載のＷｅｂページ管理装置。
【請求項３】
受信した前記編集データが、前記ユーザによるテキスト入力のないオブジェクトデータを含む場合に、前記オブジェクトデータ管理手段は、前記オブジェクトデータに透明な画像データ（透明ＧＩＦ画像データ）を挿入して記憶する、請求項１又は請求項２に記載のＷｅｂページ管理装置。
【請求項４】
受信した前記編集データが、前記ユーザによる編集可能領域の外部へのオブジェクトの移動を示すデータを含む場合に、前記オブジェクトデータ管理手段は、前記オブジェクトを示すオブジェクトデータの配置が前記編集可能領域の内部に納まるように移動して記憶する、請求項１から請求項３のいずれかに記載のＷｅｂページ管理装置。
【請求項５】
前記スクリプトプログラム（Ｊａｖａ（登録商標）ｓｃｒｉｐｔ）が受け付けたユーザによる前記オブジェクトの編集操作を示す編集データ（ＰＯＳＴメソッドを含むＨＴＭＬ）を、インラインフレームを管理するインラインフレーム管理手段（フロントプログラム）が受信する、請求項１から請求項４のいずれかに記載のＷｅｂページ管理装置。
【請求項６】
通信ネットワークを介して端末と接続されたＷｅｂページ編集装置がＷｅｂページを編集するＷｅｂページ管理方法であって、
前記端末に前記Ｗｅｂページを構成する少なくとも一つのオブジェクトを表すオブジェクトデータを送信するオブジェクトデータ送信ステップと、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信ステップと、
前記編集データを受信したことに応じて、それぞれ独立して動作するオブジェクトデータ編集手段（サブプログラム１、２、・・・）により、前記編集データを記憶するオブジェクトデータ管理ステップと、を備えるＷｅｂページ管理方法。
【発明の詳細な説明】
【技術分野】
【０００１】
図面に記載の通り。
【背景技術】
【０００２】
図面に記載の通り。
【発明の開示】
【発明が解決しようとする課題】
【０００３】
図面に記載の通り。
【課題を解決するための手段】
【０００４】
本発明では、以下のような解決手段を提供する。
【０００５】
（１）  通信ネットワークを介して端末と接続されたＷｅｂページ管理装置であって、
前記端末に前記Ｗｅｂページを構成する少なくとも一つのオブジェクトを表すオブジェクトデータを送信するオブジェクトデータ送信手段（フロントプログラム）と、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信手段（フロントプログラム）と、
前記編集データを受信したことに応じて、それぞれ独立して動作するオブジェクトデータ編集手段（サブプログラム１、２、・・・）により、前記編集データを記憶するオブジェクトデータ管理手段（ＤＢ）と、を備えるＷｅｂページ管理装置。
【０００６】
（２）  受信した前記編集データが、前記ユーザによるテキスト入力のないオブジェクトデータを含む場合に、前記オブジェクトデータ管理手段は、前記オブジェクトデータに空白文字を挿入して記憶する、（１）に記載のＷｅｂページ管理装置。
【０００７】
（３）  受信した前記編集データが、前記ユーザによるテキスト入力のないオブジェクトデータを含む場合に、前記オブジェクトデータ管理手段は、前記オブジェクトデータに透明な画像データ（透明ＧＩＦ画像データ）を挿入して記憶する、（１）又は（２）に記載のＷｅｂページ管理装置。
【０００８】
（４）  受信した前記編集データが、前記ユーザによる編集可能領域の外部へのオブジェクトの移動を示すデータを含む場合に、前記オブジェクトデータ管理手段は、前記オブジェクトを示すオブジェクトデータの配置が前記編集可能領域の内部に納まるように移動して記憶する、（１）から（３）のいずれかに記載のＷｅｂページ管理装置。
【０００９】
（５）  前記スクリプトプログラム（Ｊａｖａ（登録商標）ｓｃｒｉｐｔ）が受け付けたユーザによる前記オブジェクトの編集操作を示す編集データ（ＰＯＳＴメソッドを含むＨＴＭＬ）を、インラインフレームを管理するインラインフレーム管理手段（フロントプログラム）が受信する、（１）から（４）のいずれかに記載のＷｅｂページ管理装置。
【００１０】
（６）  通信ネットワークを介して端末と接続されたＷｅｂページ編集装置がＷｅｂページを編集するＷｅｂページ管理方法であって、
前記端末に前記Ｗｅｂページを構成する少なくとも一つのオブジェクトを表すオブジェクトデータを送信するオブジェクトデータ送信ステップと、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信ステップと、
前記編集データを受信したことに応じて、それぞれ独立して動作するオブジェクトデータ編集手段（サブプログラム１、２、・・・）により、前記編集データを記憶するオブジェクトデータ管理ステップと、を備えるＷｅｂページ管理方法。
【発明の効果】
【００１１】
図面に記載の通り。
【発明を実施するための最良の形態】
【００１２】
図面に記載の通り。
【００１３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００１４】
【図１】本発明の好適な実施形態の一例に係るシステムを示す図である。
【図２】本発明の好適な実施形態の一例に係るシステムを示す図である。
【図３】本発明の好適な実施形態の一例に係るシステムを示す図である。
【図４】本発明の好適な実施形態の一例に係るシステムを示す図である。
【図５】本発明の好適な実施形態の一例に係るシステムを示す図である。
【図６】従来のシステムを示す図である。
【図７】本発明の好適な実施形態の一例に係るシステムを示す図である。
【図８】本発明の好適な実施形態の一例に係るシステムを示す図である。
【図９】本発明の好適な実施形態の一例に係るシステムを示す図である。
【図１０】本発明の好適な実施形態の一例に係るシステムを示す図である。
【図１１】本発明の好適な実施形態の一例に係るシステムを示す図である。
【図１２】本発明の好適な実施形態の一例に係るシステムを示す図である。
【図１】
2009140349.tif 000003
【図２】
2009140349.tif 000004
【図３】
2009140349.tif 000005
【図４】
2009140349.tif 000006
【図５】
2009140349.tif 000007
【図１０】
2009140349.tif 000008
【図１１】
2009140349.tif 000009
【図１２】
2009140349.tif 000010
【図６】
2009140349.tif 000011
【図７】
2009140349.tif 000012
【図８】
2009140349.tif 000013
【図９】
2009140349.tif 000014
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
通信ネットワークを介して端末と接続されたＷｅｂページ管理装置であって、
前記端末に前記Ｗｅｂページを構成する少なくとも一つのオブジェクトを表すオブジェクトデータを送信するオブジェクトデータ送信手段（フロントプログラム）と、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信手段（フロントプログラム）と、
前記編集データを受信したことに応じて、それぞれ独立して動作するオブジェクトデータ編集手段（サブプログラム１、２、・・・）により、前記編集データを記憶するオブジェクトデータ管理手段（ＤＢ）と、を備えるＷｅｂページ管理装置。
【請求項２】
受信した前記編集データが、前記ユーザによるテキスト入力のないオブジェクトデータを含む場合に、前記オブジェクトデータ管理手段は、前記オブジェクトデータに空白文字を挿入して記憶する、請求項１に記載のＷｅｂページ管理装置。
【請求項３】
受信した前記編集データが、前記ユーザによるテキスト入力のないオブジェクトデータを含む場合に、前記オブジェクトデータ管理手段は、前記オブジェクトデータに透明な画像データ（透明ＧＩＦ画像データ）を挿入して記憶する、請求項１又は請求項２に記載のＷｅｂページ管理装置。
【請求項４】
受信した前記編集データが、前記ユーザによる編集可能領域の外部へのオブジェクトの移動を示すデータを含む場合に、前記オブジェクトデータ管理手段は、前記オブジェクトを示すオブジェクトデータの配置が前記編集可能領域の内部に納まるように移動して記憶する、請求項１から請求項３のいずれかに記載のＷｅｂページ管理装置。
【請求項５】
前記スクリプトプログラム（Ｊａｖａ（登録商標）ｓｃｒｉｐｔ）が受け付けたユーザによる前記オブジェクトの編集操作を示す編集データ（ＰＯＳＴメソッドを含むＨＴＭＬ）を、インラインフレームを管理するインラインフレーム管理手段（フロントプログラム）が受信する、請求項１から請求項４のいずれかに記載のＷｅｂページ管理装置。
【請求項６】
通信ネットワークを介して端末と接続されたＷｅｂページ編集装置がＷｅｂページを編集するＷｅｂページ管理方法であって、
前記端末に前記Ｗｅｂページを構成する少なくとも一つのオブジェクトを表すオブジェクトデータを送信するオブジェクトデータ送信ステップと、
送信された前記オブジェクトを用いて構成したＷｅｂページを表示した前記端末のスクリプトプログラム（Ｊａｖａ（登録商標）ｓｃｒｉｐｔ）が受け付けたユーザによる前記オブジェクトの編集操作を示す編集データ（ＸＭＬＨｔｔｐＲｅｑｕｅｓｔ）を受信する編集データ受信ステップと、
前記編集データを受信したことに応じて、それぞれ独立して動作するオブジェクトデータ編集手段（サブプログラム１、２、・・・）により、前記編集データを記憶するオブジェクトデータ管理ステップと、を備えるＷｅｂページ管理方法。